(57)【特許請求の範囲】
【請求項１】
上端に開口部たる街灯柱口を備える中空の街灯柱、当該街灯柱に支持されるランプブラケット、前記街灯柱の壁面を構成し壁内部が真空で熱を吸収する性質を有する熱吸収発電真空チューブ、壁内部が真空で前記熱吸収発電真空チューブの周囲を被覆する透明又は半透明のチューブ、路面に接するように前記街灯柱の底部に設けられ当該街灯柱の自立を補助する街灯柱足、前記ランプブラケットに組み込まれたLEDランプ、前記街灯柱口に搭載された羽根車発電機、前記街灯柱の底部を通過して前記街灯柱口まで到達するように前記街灯柱の中空部分に組み込まれた空気チューブ又は磁気液体チューブ、を備えるLED照明街灯と、
中央制御装置（MCU）と、
前記中央制御装置に連結された太陽発電システムと、
前記中央制御装置に連結された熱発電システムと、
前記中央制御装置に連結された圧力発電システムと、
前記圧力発電システムに連結された路面圧力装置と、
前記中央制御装置に連結された整流器と、
前記整流器に連結されたDC/DCコンバータと、
前記DC/DCコンバータに連結され、前記太陽発電システム、前記熱発電システム、及び前記圧力発電システムが発生した電力を格納する電力格納装置と、
を備える発電システムを伴うLED照明街灯。
【請求項２】
前記羽根車発電機が二つの固定ホルダによって街灯柱の内壁に取り付けられている請求項１に記載の発電システムを伴うLED照明街灯。
【請求項３】
前記羽根車発電機が羽根ブレードに連結されている請求項１に記載の発電システムを伴うLED照明街灯。
【請求項４】
前記太陽発電システムが、前記街灯柱口上に二つのブラケットによって支持された太陽光発電ボードと、前記熱吸収発電真空チューブの表面上のペイントされた太陽電池層と、を備える請求項１に記載の発電システムを伴うLED照明街灯。
【請求項５】
前記ペイントされた太陽電池層が、一つずつペーストされた、多数のペイント式の太陽電池スライスから成る請求項４に記載の発電システムを伴うLED照明街灯。
【請求項６】
前記熱発電システムが、
前記羽根車発電機と、
前記熱吸収発電真空チューブと、
前記街灯柱の底部の前記街灯柱足及び熱吸収ブロックと、
前記街灯柱の底部、前記ランプブラケット、及び前記街灯柱足における空気孔と、
を備える請求項１に記載の発電システムを伴うLED照明街灯。
【請求項７】
前記街灯柱足は複数設けられており、夫々の街灯柱足は、中空で、前記街灯柱から互いに異なる方向へ延びている請求項６に記載の発電システムを伴うLED照明街灯。
【請求項８】
前記路面圧力装置が、路面層に配置されたプレート、前記プレートと連結され、前記プレートにかかる圧力を受けてタンク内の媒体を前記空気チューブまたは前記磁気液体チューブに向けて押し出す押上ポンプを含む請求項１に記載の発電システムを伴うLED照明街灯。
【請求項９】
前記圧力発電システムは空気圧発電システムであり、
前記街灯柱口に搭載された羽根車発電機と、
前記タンクの底部まで伸びる街灯柱内の空気チューブと、
前記空気チューブの最上部にあり、その上方が羽根車発電機の羽根ブレードであるノズルと、を備える請求項８に記載の発電システムを伴うLED照明街灯。
【請求項１０】
前記圧力発電システムが、油圧磁気発電システムであり、
前記街灯柱口に搭載された羽根車発電機と、
前記タンクの底部まで伸びる磁気液体チューブと、
磁気液体チューブの下部周囲の磁気発電機と、
前記磁気液体チューブの最上部にあり、その上方が羽根車発電機の羽根ブレードであるノズルと、
前記羽根車発電機の下方で、流出口が磁気発電機の上部の上前記磁気液体チューブに連結された逆流チューブと、
を備える請求項８に記載の発電システムを伴うLED照明街灯。
【請求項１１】
前記街灯柱が上部から底部まで同じ直径を有する円筒状街灯柱である請求項１に記載の発電システムを伴うLED照明街灯。
【請求項１２】
前記街灯柱が、上部シリンダ、中部シリンダ、及び底部シリンダの三本のシリンダから成り、前記底部シリンダの直径は前記中部シリンダのそれより大きく、また、前記中部シリンダの直径は、前記上部シリンダのそれより大きい請求項１に記載の発電システムを伴うLED照明街灯。
【請求項１３】
前記LEDランプは、ランプボックス、ＰＣＢボード、及びＰＣＢ上に搭載された複数のLEDを備える請求項１に記載の発電システムを伴うLED照明街灯。
【請求項１４】
前記複数のLEDの夫々は、光散乱プレートに埋め込まれている請求項１３に記載の発電システムを伴うLED照明街灯。
【請求項１５】
前記ランプボックスは、透明又は半透明の材料で構成されている請求項１３に記載の発電システムを伴うLED照明街灯。
【請求項１６】
前記複数のLEDの夫々は、有機LED、又は他の照明材料と置き換え可能である請求項１３に記載の発電システムを伴うLED照明街灯。
【請求項１７】
前記複数のLEDの夫々は、LEDチップとも交換可能である請求項１３に記載の発電システムを伴うLED照明街灯。
【請求項１８】
前記街灯柱に広告板が組み込まれており、その回路が、前記電力格納装置に連結されている請求項１に記載の発電システムを伴うLED照明街灯。
【請求項１９】
信号送受信機が前記街灯柱の上部に組み込まれている請求項１に記載の発電システムを伴うLED照明街灯。
【請求項２０】
前記電力格納装置の電気回路に接続された電気ソケットが前記街灯柱の底部に組み込まれた請求項１に記載の発電システムを伴うLED照明街灯。
【発明の詳細な説明】
【技術分野】
【０００１】
本発明は発電システムを伴うLED（light emitting diode）照明街灯に係り、特に、電力発生システムとして、熱パワー、光エネルギ、空気圧、又は油圧のようなグリーンエネルギ資源を使用するLED照明街灯に関する。
【背景技術】
【０００２】
エネルギ資源の不足及び環境問題は、益々地球における深刻な課題となっている。街灯は、広く世界中の街路上で用いられる必要な施設である。これらの街灯によって毎年消費される電気エネルギは、政府の重大な負担となっている。出願人は、２００５年５月９日に、名称をSOLAR POWERED LED STREET LAMP WITH AUTOMATIC LIGHT CONTROLとする特許（PCT/CN2006000920）を出願している。その特許は、街灯の電源として太陽エネルギを使用し、また、照明源としてLEDを使用している。その特許は、太陽エネルギを集めて電気エネルギに変換するために太陽光発電ボードを用いるが、太陽の光部分だけが用いられ、太陽の主要な熱エネルギが応用されていない。街路上を走る車両はエネルギを消費するが、同様に、未だ有効に使用されていない新種のエネルギを発生することができる。街路照明施設において用いられている現在のグリーンエネルギは必要な電力を完全に生成することはできず、従って、証明施設においては、従来の電力がグリーンエネルギ資源と併せて常に使用されている。
【発明の概要】
【発明が解決しようとする課題】
【０００３】
従って、本発明の目的は、現在の技術的な不足又は課題を解決して、ランプに電気を供給するために、その発電として太陽の光及び熱パワーを、また、走行車両の圧力を用いることによる空気圧発電又は磁気発電を使用して、かつ、照明源としてLEDを用いて、街灯柱の壁が熱吸収発電真空チューブである、発電システムを伴うLED照明街灯を提供することである。
【課題を解決するための手段】
【０００４】
これらの目的は、LED照明街灯、中央制御装置（MCU）、太陽発電システム、熱発電システム、圧力発電システムに連結された路面圧力装置、整流器、DC/DCコンバータ、及び電力格納装置により達成される。前記LED照明街灯は、街灯柱、街灯柱口、透明又は半透明のチューブで周囲が被覆された熱吸収発電真空チューブ、街灯柱足、及びLEDランプを備えており、羽根車発電機が街灯柱口に設置され、前記LEDランプはランプブラケット上に取り付けられ、空気チューブ又は磁気液体チューブが街灯柱に搭載され、かつ、街灯柱の底部、ランプブラケット、及び街灯柱足に多数の空気孔が存在する。
【０００５】
本発明の一般的な特徴は、前記太陽発電システム、熱発電システム、圧力発電システムが中央制御装置に接続されており、整流器を介した整流プロセス及びDC/DCコンバータ変換プロセスの後にLED照明街灯及び他の電気器具に電気を供給するために、中央制御装置が、電気の発生、格納、利用を制御し、また、電気エネルギを電力格納装置に格納することができることである。
【０００６】
太陽発電システムの実施例では、太陽光発電ボードを支持するために二つの支持体が街灯柱口に存在し、その下に、電力格納装置が組み込まれている。太陽光発電ボードはソーラーパワーを集め、その太陽エネルギから変換された電気エネルギは電力格納装置に格納することができる。熱吸収発電真空チューブの外側の層は、太陽エネルギを吸収することのできるペイントされた太陽電池である。
【０００７】
熱発電システムの実施例では、羽根車発電機が街灯柱口に設置され、街灯柱の壁は、透明又は半透明のチューブで周囲が被覆された熱吸収発電真空チューブである。街灯柱の底部には、多数の街灯柱足及び熱吸収ブロックが存在している。街灯柱の底部及び街灯柱足には、空気が街灯柱内部に流通するように多数の空気孔も存在している。太陽が街灯柱（１）を照らすと、熱吸収発電真空チューブ、街灯柱足、及び熱吸収ブロックが多くの熱を吸収し、街灯柱内部の空気の温度が急速に上昇し、街灯柱の最上部まで空気が高速で流通して羽根ブレードを回転駆動し、羽根車発電機が電気を発生し始める。その電気は、電力格納装置に格納され、LED照明街灯、及び他の電気器具に電気を供給する。熱吸収発電真空チューブの外側の層は、太陽エネルギを強力に吸収して電気に変換することができるペイントされた太陽電池である。街灯柱足は、中空であり、かつ、日の光を受ける領域を増やしてより多くの熱を吸収するために異なる方向へ延びている。
【０００８】
本発明の熱発電システムの特徴は、前記熱吸収発電真空チューブ、及び透明又は半透明のチューブが真空であり、そのために、熱を長い時間維持し、夜間に開放して街灯柱の内部で空気を上方に流通させ、羽根車発電機を駆動して連続的に電気を発生させ得ること；ペイントされた太陽電池が、一つずつペーストされるべき多数のペイントされた太陽電池スライス又は太陽電池結晶チップで構成されており、この方法により、街灯柱の異形、及び街灯柱と他の部分との間の接合角度不均一の問題を解決し得ることである。
【０００９】
圧力発電システムは空気圧発電システムであり、その実施例では、街路中の脇に路面圧力装置が存在し、それは、路面層、路盤、路面層内のプレート、プレートと連結され、かつ、タンク内に位置する押上ポンプ、タンクの底部において街灯柱の底部を通って街灯柱口まで街灯柱の全体を通過する空気チューブ、空気チューブの最上部にあるノズル、その上方にある羽根車発電機の羽根ブレードを備えている。自動車が路面を走行し、或いは人が道路を歩行すると、車輪又は足がプレート上に圧力をかけて押上ポンプを押圧し、押圧ポンプがタンク内の空気を圧縮してその空気が急速に空気チューブを通って上昇し、ノズルから噴出し、羽根車を回転させ、その結果、羽根車発電機は電気を発生するために作動し始める。
【００１０】
圧力発電システムは油圧磁気発電システムとすることもでき、実施例では、街灯柱の脇に路面圧力装置が存在し、それは、路面層、路盤、路面層内のプレート、プレートに連結され、かつ、タンク内に位置する押上ポンプ、タンク内の磁気液体、タンクの底部において街灯柱の底部を通過して、街灯柱口まで街灯柱の全体を通過する磁気液体チューブ、磁気液体チューブ最上部のノズル、その上方にある羽根車発電機の羽根ブレード、羽根車発電機下方の逆流チューブ、磁気液体チューブを取り巻く磁気発電機を備えている。自動車が道路を走行すると、車輪がプレート上部に圧力をかけ、押上ポンプが押圧され、その押圧ポンプがタンク内の磁気液体を圧縮し、磁気液体が磁気液体チューブを通って急速に上昇してノズルから噴出し、羽根ブレードを回転させ、それにより羽根車発電機が電気を発生させるべき動作し始める。磁気発電機は、磁気液体が通るときに電気を発生する。ノズルから噴出した磁気液体は、逆流チューブに沿ってタンクへ逆流する。
【００１１】
本発明の他の特徴は、数種類の発電システムが一緒に結合され、電力供給を確保することができることである。そして、電気を供給するために、街灯柱の底部にはソケットが組み込まれる。
【００１２】
本発明の更なる特徴は、照明源としてLEDが用いられていることである。LEDは、高ルーメン出力、長寿命、無放射性、及び省力性の、一種のグリーン照明源である。前記LEDランプは、ランプボックス、ＰＣＢボード、ＰＣＢに搭載された複数のLEDを備えている。これらのLEDは、並列に、又は直列に接続され、光が異なる角度で散乱することができるように光散乱プレートに埋め込めることができる。ランプボックスは、透明又は半透明の材料で製造されている。
【００１３】
本発明のもう一つの特徴は、街灯柱に広告板を組み込むことができることである。広告板には、その照明源として、LED又は他の照明物質を用いることができ、また、電気は電力格納装置に格納された電気エネルギからである。前記広告板は、広告を目的としたものであり、かつ、一種の照明装置でもあり得る。
【００１４】
本発明の更にもう一つの特徴は、街灯柱に信号送受信機が組み込まれていることである。
【発明の効果】
【００１５】
本発明の効果は、全ての電力源が、太陽、熱力、空気圧及び油圧を含む自然からであることである。そして、複数の発電システムが一緒に結合されて、従来の電源を使用することなく、街灯の電力供給を確保している。また、使用されていない電気エネルギは、道路脇の広告板、交通信号、及び他の電気器具に対して、将来的には電気自動車に対してさえ、電気を供給するために、電力格納装置内に格納しておくことができる。
【００１６】
本発明のより良好な理解のために、本発明の目的、特徴、及び効果は、図面及び明細書を通じて詳細に説明されている。
【図面の簡単な説明】
【００１７】
【図１】発電システムを伴うLED照明街灯のシステム接続図である。
【図２】発電システムを伴うLED照明街灯の構造図である。
【図３】発電システムを伴うLED照明街灯の熱熱吸収発電真空チューブ回りの透明又は半透明のチューブの透視図である。
【図４】発電システムを伴うLED照明街灯の他のバージョンである。
【図５】空気圧システムが油圧磁気発電システムに置き換えられた、発電システムを伴うLED照明街灯の構造図である。
【図６】発電システムを伴うLED照明街灯のペイントされた太陽電池の構造図である。
【図７】発電システムを伴うLED照明街灯の路面圧力装置の空気圧の構造図である。
【図８】発電システムを伴うLED照明街灯の路面圧力装置の油圧の構造図である。
【図９】発電システムを伴うLED照明街灯のLEDランプの構造図である。
【図１０】発電システムを伴うLED照明街灯の光散乱プレートに埋め込められたLEDのバージョンの図である。
【発明を実施するための形態】
【００１８】
図１に示すように、発電システムを伴うLED照明街灯は、LED照明街灯、中央制御装置（MCU）、太陽発電システム、熱発電システム、圧力発電システムに連結された路面圧力装置、整流器、DC/DCコンバータ、及び電力格納装置を備えている。太陽発電システム、熱発電システム、及び圧力発電システムは中央制御装置に接続されており、中央制御装置は、整流器を介した整流プロセス及びDC/DCコンバータ変換プロセスの後に、LED照明街灯及び他の電気器具に電気を供給するために、電気の発生、格納、及び利用を制御し、そして、残りの電気エネルギは電力格納装置（５）に格納される。
【００１９】
図２に示すように、LED照明街灯は、中空の街灯柱（１）、ランプブラケット（１１）、街灯柱口（１０）、熱吸収発電真空チューブ（１４）、街灯柱足（１２）、及びLEDランプ（２）を備えて成り、羽根車発電機（３）が街灯柱口（１０）に配置されており、前記LEDランプ（２）はランプブラケット（１１）上に取り付けられ、空気チューブ（６）が街灯柱（１）に取り付けられ、また、街灯柱（１）の底部、ランプブラケット（１１）、及び街灯柱足（１２）には、多数の空気孔（１３）が存在している。街灯柱（１）は円筒状の街灯柱であり、街灯柱の壁は、透明又は半透明のチューブ（１６）で周辺が被覆された熱吸収発電真空チューブ（１４）である。
【００２０】
図２は、太陽発電システムの実施例を示す。街灯柱口（１０）の上には太陽光発電ボード（４）を支持するために二つの支持体（４１）が存在しており、その下には電力格納装置（５）が取り付けられている。太陽光発電ボード（４）はソーラーパワーを集め、そして、太陽エネルギから変換された電気エネルギは、電力格納装置（５）に格納することができる。熱吸収発電真空チューブ（１４）の外側の層は、太陽エネルギを強力に吸収することができ、かつ、それを電気エネルギに変換することができるペイントされた太陽電池（１５）である。ペイントされた太陽電池（１５）の表面は、多層の太陽エネルギ吸収材料を備える黒色複合コーティングとすることができる。
【００２１】
図２及び図３は、熱発電システムの実施例を示す。羽根車発電機（３）が街灯柱口（１０）に搭載されており、街灯柱（１）の壁は、透明又は半透明のチューブ（１６）で周囲が取り囲まれた熱吸収発電真空チューブ（１４）である。街灯柱（１）の底部には、多数の街灯柱足（１２）及び熱吸収ブロック（１７）が存在している。街灯柱（１）の底部及び街灯柱足（１２）には、多くの空気孔（１３）も存在しており、空気が街灯柱（１）の内部に流れ込む。街灯柱（１）に太陽光に照らされると、熱吸収発電真空チューブ（１４）、街灯柱足（１２）、及び熱吸収ブロック（１７）が多くの熱を吸収し、街灯柱（１）内部の空気の温度が急激に上昇し、空気が街灯柱（１）の上部まで高速で流れて羽根ブレード（３１）が回転駆動され、羽根車発電機（３）によって電気が生成される。電気は電力格納装置（５）に格納され、またそれからLED照明街灯及び他の電気器具に供給される。街灯柱足（１２）は、中空であり、日の光を受ける領域を増やしてより一層多くの熱を吸収するために、街灯柱（１）から異なる方向に拡張されている。熱吸収発電真空チューブ（１４）の外側の層は、太陽エネルギを吸収してそれを電気に変換することのできるペイントされた太陽電池（１５）である。更に、前記熱吸収発電真空チューブ（１４）、及び透明又は半透明のチューブ（１６）は真空であり、熱を長期間に渡って維持することができ、また、夜間に放出して街灯柱（１）の内部で空気を上方に流通させ、羽根車発電機（３）を駆動して連続的に電気を発生させることができる。本街灯には、その周囲を取り巻く透明又は半透明のチューブ（１６）と共に、ペイントされた太陽電池（１５）を組み込むこともでき、その透明又は半透明のチューブ（１６）は真空チューブとすることができる。
【００２２】
図２及び図７に示すように、圧力発電システムは、空気圧発電システムである。街灯柱（１）の脇には、路面圧力装置が組み込まれており、それは、路面層（８）、路盤（８０）、路面層（８）内のプレート（８１）、プレート（８１）に連結され、かつ、タンク（８３）内に位置する押上ポンプ（８２）、タンク（８１）の底部にあって街灯柱（１）の底部を通過して街灯柱（１）の全体を通って街灯柱口（１０）まで到達する空気チューブ（６）、空気チューブ（６）の最上部に位置し、その上方に羽根車発電機（３）の羽根ブレード（３１）が存在するノズル（６１）を備えている。自動車が道路を走行する際に、車輪がプレート（８１）の上に圧力をかけ、押上ポンプ（８２）が押圧され、押圧ポンプ（８２）によってタンク（８３）内の空気が圧縮されて空気が急速に空気チューブ（６）を通って上昇し、ノズル（６１）から噴出することにより羽根ブレード（３）が回転し、それにより、羽根車発電機（３）が電気を発生させるために動作し始める。
【００２３】
図４は、発電システムを有するLED照明街灯の他のバージョンを示し、それは、街灯柱（１）、ランプブラケット（１１）、街灯柱口（１０）、熱吸収発電真空チューブ（１４）、街灯柱足（１２）、LEDランプ（２）を備えており、街灯柱口（１０）内部に羽根車発電機（３）が搭載されている。街灯柱（１）は、円筒状の街灯柱であり、その直径は、最上部から底部に向かって大きくなっている。街灯柱（１）は、３本の筒、上部シリンダ（１０１）、中部シリンダ（１０２）、及び底部シリンダ（１０３）で構成されている。底部シリンダ（１０３）の直径は中部シリンダ（１０２）のそれより大きく、また、中部シリンダ（１０２）の直径は上部シリンダ（１０１）のそれより大きい。LEDランプ（２）は、ランプブラケットの上に組み込まれる。空気チューブ（６）は、街灯柱（１）の内部に組み込まれる。多数の空気孔（１３）が、ランプブラケット（１１）及び底部シリンダ（１０３）に存在している。
【００２４】
図４に示すように、太陽発電システムの実施例では、太陽光発電ボード（４）を支持するために二つの支持体（４１）が街灯柱口（１０）に存在しており、それの下部に電力格納装置（５）が組み込まれている。太陽光発電ボード（４）はソーラーパワーを集め、そして、太陽エネルギから変換された電気エネルギは電力格納装置（５）内に格納することができる。熱吸収発電真空チューブ（１４）の外側の層は、太陽エネルギを強力に吸収することができ、かつ、それを電気エネルギに変換することのできるペイントされた太陽電池（１５）である。ペイントされた太陽電池（１５）の表面は、多層太陽エネルギ吸収材料を備える複合コーティング層である。
【００２５】
図４に示すように、熱発電システムの実施例では、羽根車発電機（３）が街灯柱口（１０）内部に取り付けられており、街灯柱（１）の壁は、熱吸収発電真空チューブ（１４）である。街灯柱（１）の底部及びランプブラケット（１１）には、空気が街灯柱（１）内部に流通するように、多数の空気孔（１３）も存在している。太陽が街灯柱（１）を照らすと、熱吸収発電真空チューブ（１４）が多くの熱を吸収し、街灯柱（１）内部の空気の温度が急速に上昇し、街灯柱（１）の最上部まで空気が高速で流通して羽根ブレード（３１）を回転駆動し、羽根車発電機（３）が電気を発生し始める。その電気は、電力格納装置（５）に格納され、次いで、LED照明街灯、及び他の電気器具に供給される。本発明のこのバージョンの特徴は、底部シリンダ（１０３）の空気体積が中部シリンダ（１０２）のそれよりも非常に大きく、また、中部シリンダ（１０２）の空気体積が上部シリンダのそれよりも非常に大きく、このため、熱の上昇に伴い、空気が、最上部に向かって流通速度を増して羽根車発電機（３）を駆動することである。
【００２６】
図４及び図７に示すように、圧力発電システムは、空気圧発電システムである。路面圧力装置は街灯柱（１）の脇に組み込まれており、路面層（８）、路盤（８０）、路面層（８）内のプレート（８１）、プレート（８１）に連結され、かつ、タンク（８３）内に位置する押上ポンプ（８２）、タンク（８１）の底部にあって街灯柱（１）の底部を通過して街灯柱（１）の全体を通って街灯柱口（１０）まで到達する空気チューブ（６）、空気チューブ（６）の最上部に位置し、その上方に羽根車発電機（３）の羽根ブレード（３１）が存在するノズル（６１）を備えている。自動車が道路を走行する際に、車輪がプレート（８１）の上に圧力をかけ、押上ポンプ（８２）が押圧され、押圧ポンプ（８２）によってタンク（８３）内の空気が圧縮されて空気が急速に空気チューブ（６）を通って上昇し、ノズル（６１）から噴出することにより羽根ブレード（３）が回転し、それにより、羽根車発電機（３）が電気を発生させるために動作し始める。
【００２７】
図５は、発明の構造図であり、そこでは、空気圧発電システムが油圧磁気発電システムに置き換えられている。LED照明街灯は、街灯柱（１）、ランプブラケット（１１）、街灯柱口（１０）、熱吸収発電真空チューブ（１４）、街灯柱足（１２）、及びLEDランプ（２）を備えており、羽根車発電機（３）が街灯柱口（１０）内部に取り付けら、前記LEDランプ（２）がランプブラケット（１１）上に組み込まれ、空気チューブ（６）が街灯柱（１）に組み込まれ、また、街灯柱（１）の底部、ランプブラケット（１１）、及び街灯柱足（１２）には、多数の空気孔（１３）が存在している。街灯柱（１）は円筒状街灯柱であり、街灯柱の壁は、透明又は半透明のチューブ（１６）で周辺が被覆された熱吸収発電真空チューブ（１４）である。
【００２８】
図５に示すように、太陽発電システムの実施例では、太陽光発電ボード（４）を支持するための二つの支持体（４１）が街灯柱口（１０）上に存在し、その下には電力格納装置（５）が組み込まれている。太陽光発電ボード（４）がソーラーパワーを集め、太陽エネルギから変換された電気エネルギは電力格納装置（５）に格納することができる。熱吸収発電真空チューブ（１４）の外側の層は、太陽エネルギを強力に吸収してそれを電気エネルギに変換することができるペイントされた太陽電池（１５）である。
【００２９】
図５に示すように、熱発電システムの実施例では、羽根車発電機（３）が街灯柱口（１０）内部に組み込まれており、街灯柱（１）の壁は、熱吸収発電真空チューブ（１４）である。街灯柱（１）の下部、ランプブラケット（１１）、及びランプ足（１２）には、街灯柱（１）内に空気が流通するように多数の空気孔（１３）も存在している。太陽が街灯柱（１）を照らすと、熱吸収発電真空チューブ（１４）が多くの熱を吸収し、街灯柱（１）内部の空気の温度が急速に上昇し、街灯柱（１）の最上部まで空気が高速で流通して羽根ブレード（３１）を回転駆動し、羽根車発電機（３）が電気を発生し始める。
【００３０】
図５及び図８に示すように、圧力発電システムは、油圧磁気発電システムである。実施例では、街灯柱（１）の脇に路面圧力装置が存在し、これが、路面層（８）、路盤（８０）、路面層（８）内のプレート（８１）、プレート（８１）に連結され、かつ、タンク（８３）内に位置する押上ポンプ（８２）、タンク（８３）内の磁気液体、タンク（８３）の底部にあって街灯柱（１）の底部を通過して街灯柱（１）の全体を通って街灯柱口（１２）まで到達する磁気液体チューブ（６０）、磁気液体チューブ（６０）の最上部に位置し、その上方に羽根車発電機（３）の羽根ブレード（３１）が存在するノズル（６１）、羽根車発電機（３）下の逆流チューブ（６２）、磁気液体チューブ（６０）の下部周辺の磁気発電機（７）を備えている。自動車が道路を走行すると、車輪がプレート（８１）の上に圧力をかけ、押上ポンプ（８２）が押圧され、押圧ポンプ（８２）によってタンク（８３）内の磁気液体が圧縮されて磁気液体が急速に磁気液体チューブ（６０）を通って上昇し、ノズル（６１）から噴出することにより羽根ブレード（３）が回転し、それにより、羽根車発電機（３）が電気を発生させるために動作し始める。磁気発電機（７）は、磁気液体が通過する際に電気を発生する。ノズル（６１）から噴出した磁気液体は、逆流チューブ（６２）に沿ってタンク（８３）へ逆流する。
【００３１】
図６に示すように、前記ペイントされた太陽電池（１５）は、一つずつペーストされるべき多数のペイントされた太陽電池スライス（１５１）で構成されている。
【００３２】
図４及び図５に示すように、街灯柱（１）には広告板（１８）を組み込むことができ、また、電力格納装置（５）に格納された電気エネルギは広告板（１８）に電力を供給することができる。前記広告板（１８）は、広告を目的としたものであり、一種の照明ライトとすることもできる。
【００３３】
図２及び図５に示すように、熱吸収発電真空チューブ（１４）、街灯柱足（１２）は、LEDランプ（２）から熱及び光エネルギを吸収することもできる。
【００３４】
図２、図４及び図５に示すように、羽根車発電機（３）は、二つの固定ホルダ（３２）によって街灯柱（１）の内壁に固定されている。羽根車発電機（３）は、上部において羽根ブレード（３１）と連結されている。
【００３５】
街灯柱（１）の上部には信号送受信機が組み込まれている。
【００３６】
街灯柱（１）の底部には電気ソケット（９）が組み込まれている。電気ソケット（９）は、電力格納装置（５）の電気回路に接続される。
【００３７】
図９及び図１０に示すように、LEDランプ（２）は、ランプボックス（２１）、ＰＣＢボード（２２）、及びＰＣＢに搭載された複数のLED（２３）を備えている。これらのLEDは、並列又は直列に接続されており、異なる角度に光が散乱し得るように光散乱プレート（２４）に埋めこむことができる。ランプボックス（２１）は、透明又は半透明の材料で製造されている。LED（２３）は、有機LED、又は他の照明材料と置き換えることができ、また、それらはLEDチップと置き換えることもできる。
【００３８】
本発明の実施形態の一部として現在考慮されていることを示し、かつ、記載してきたが、以下の請求項によって定義される本発明の範囲から逸脱することなく様々な変化や修正がここでなし得ることは当業者にとって明らかであると思われる。
【符号の説明】
【００３９】
図において、１は街灯柱、２はLEDランプ、３は羽根車発電機、４は太陽光発電ボード、５は電力格納装置、６は空気チューブ、７は磁気発電機、８は路面、９は電気ソケット、１０は街灯柱口、１１はランプブラケット、１２は街灯柱足、１３は空気孔、１４は熱吸収発電真空チューブ、１５はペイントされた太陽電池、１５１はペイントされた太陽電池スライス、１６は透明又は半透明のチューブ、１７は熱吸収ブロック、１８は広告板、１９は信号送受信機、２１はランプボックス、２１はＰＣＢボード、２３は発光ダイオード（LED）、２４は光散乱プレート、３１は羽根ブレード、３２は固定ホルダ、４１はブラケット、６０は磁気液体チューブ、６１はノズル、６１は逆流チューブ、８０は路盤、８１はプレート、８２は圧力ポンプ、８３はタンク、１０１は街灯柱の上部シリンダ、１０２は街灯柱の中部シリンダ、そして、１０３は街灯柱の底部シリンダである。
【図１】
0005631998.tif 000002
【図２】
0005631998.tif 000003
【図３】
0005631998.tif 000004
【図４】
0005631998.tif 000005
【図５】
0005631998.tif 000006
【図６】
0005631998.tif 000007
【図７】
0005631998.tif 000008
【図８】
0005631998.tif 000009
【図９】
0005631998.tif 000010
【図１０】
0005631998.tif 000011